(57)【要約】【課題】視野角を制御できる表示装置での視野角の設定を容易ならしめる電子機器を提供する。【解決手段】視野角を制御できる表示装置が接続される電子機器が、音声信号出力端子への音声出力装置の接続の有無に基づいて、表示装置の視野角を制御する表示制御部を有する。音声出力装置の接続の有無に基づいて、表示装置の視野角を制御することで、音声出力装置に応じた表示装置の視野角制御が可能となる。【選択図】図２
2005181588.tif 000002
【特許請求の範囲】
【請求項１】
視野角を制御できる表示装置が接続される電子機器であって、
音声出力装置が接続される音声信号出力端子と、
前記音声信号出力端子への音声出力装置の接続の有無に基づいて、前記表示装置の視野角を制御する表示制御部と、
を具備することを特徴とする電子機器。
【請求項２】
前記表示制御部が、前記音声信号出力端子に接続された音声出力装置の種別に基づいて、前記表示装置を制御する
ことを特徴とする請求項１記載の電子機器。
【請求項３】
前記表示装置の視野角を設定するための設定情報を入力する設定情報入力部と、
前記設定情報入力部で入力される設定情報を記憶する設定情報記憶部と、をさらに具備し、
前記表示制御部が、前記音声信号出力端子に音声出力装置が接続されていないときに、前記設定情報記憶部に記憶された設定情報に基づき表示装置を制御する
ことを特徴とする請求項１記載の電子機器。
【請求項４】
視野角を制御できる表示装置が接続される電子機器であって、
音声信号を出力する音声信号出力部と、
前記音声信号出力部から出力される音声信号の強度に基づいて、前記表示装置の視野角を制御する表示制御部と、
を具備することを特徴とする電子機器。
【請求項５】
前記表示装置の視野角を設定するための設定情報を入力する設定情報入力部と、
前記設定情報入力部で入力される設定情報を記憶する設定情報記憶部と、
前記設定情報記憶部に記憶された設定情報に基づき、前記音声信号出力部から出力される音声信号の強度を制御する音声信号制御部と、
をさらに具備することを特徴とする請求項４記載の電子機器。
【請求項６】
視野角を制御できる第１、第２の表示装置が接続される電子機器であって、
前記第１の表示装置の視野角を設定するための設定情報を入力する設定情報入力部と、
前記設定情報記憶部に記憶された設定情報に基づき、前記第１の表示装置の視野角を制御する第１の表示制御部と、
前記設定情報記憶部に記憶された設定情報に基づき、前記第２の表示装置の表示状態を制御する第２の表示制御部と、
を具備することを特徴とする電子機器。
【請求項７】
前記第２の表示制御部が、前記第２の表示装置の視野角を制御する
ことを特徴とする請求項６記載の電子機器。
【請求項８】
前記第２の表示制御部が、前記第２の表示装置の表示の有無を制御する
ことを特徴とする請求項６記載の電子機器。
【発明の詳細な説明】
【技術分野】
【０００１】
本発明は、視野角を制御できる表示装置が接続される電子機器に関する。
【背景技術】
【０００２】
画像を表示する表示装置が視野特性を有する場合がある。視野特性を有する表示装置では所定の視角範囲内では表示内容を視認できるが、この範囲を越えると表示内容の視認が困難となる。このような視角特性は、例えば液晶表示装置での透過率の角度依存性から生じる。視角特性は複数の利用者が一度に表示装置を利用する上では好ましくないが、特定の利用者にのみ視認可能とし、第三者には視認不能として情報の秘匿性（セキュリティ）の向上を図ることができる。このため、視認可能な視角範囲を意図的に制限した狭視角の表示装置、さらには狭視角、非狭視角を切換可能な表示装置も用いられている（例えば、特許文献１参照）。
このような視野角を切替可能な表示装置を用いる場合には、利用者が適宜に視野角の切替を行う。
なお、画像の輝度等の調節を容易に行う技術が開示されている（特許文献２参照）。
【特許文献１】特開２００３−２３３０７４号公報
【特許文献２】特開平８−１３０６９３号公報
【発明の開示】
【発明が解決しようとする課題】
【０００３】
しかしながら、表示装置の利用状態を勘案して、表示装置の視野角を常に最適な状態に設定するのは煩雑である。
上記に鑑み、本発明は視野角を制御できる表示装置での視野角の設定を容易ならしめる電子機器を提供することを目的とする。
【課題を解決するための手段】
【０００４】
Ａ．上記目的を達成するために、本発明に係る電子機器は、視野角を制御できる表示装置が接続される電子機器であって、音声出力装置が接続される音声信号出力端子と、前記音声信号出力端子への音声出力装置の接続の有無に基づいて、前記表示装置の視野角を制御する表示制御部と、を具備することを特徴とする。
制御信号生成部が、音声出力装置の接続の有無に基づいて、前記表示装置の視野角を制御することで、音声出力装置に応じた表示装置の視野角制御が可能となる。
【０００５】
（１）ここで、前記表示制御部が、前記音声信号出力端子に接続された音声出力装置の種別に基づいて、前記表示装置を制御してもよい。
音声出力装置の種別に応じた表示装置の視野角制御が可能となる。例えば、イヤホンでは視野角を狭く、スピーカでは視野角を広くすることで、音声出力装置と表示装置の視野角とを適切に対応させることができる。
なお、「表示装置が接続される」とは現に接続されている場合および接続されていないが接続可能な場合の双方を含むものとし、以下においても同様とする。
【０００６】
（２）電子機器が、前記表示装置の視野角を設定するための設定情報を入力する設定情報入力部と、前記設定情報入力部で入力される設定情報を記憶する設定情報記憶部と、をさらに具備し、前記表示制御部が、前記音声信号出力端子に音声出力装置が接続されていないときに、前記設定情報記憶部に記憶された設定情報に基づき表示装置を制御してもよい。
音声出力装置の接続を解除したときに、設定された視野角に表示状態を戻すことが可能となる。
【０００７】
Ｂ．本発明に係る電子機器は、視野角を制御できる表示装置が接続される電子機器であって、音声信号を出力する音声信号出力部と、前記音声信号出力部から出力される音声信号の強度に基づいて、前記表示装置の視野角を制御する表示制御部と、を具備することを特徴とする。
音声信号の強度に基づいて表示装置の視野角を制御することで、音量（例えば、ボリュームの設定）と視野角とを適切に対応させることが可能となる。
【０００８】
ここで、電子機器が、前記表示装置の視野角を設定するための設定情報を入力する設定情報入力部と、前記設定情報入力部で入力される設定情報を記憶する設定情報記憶部と、前記設定情報記憶部に記憶された設定情報に基づき、前記音声信号出力部から出力される音声信号の強度を制御する音声信号制御部と、をさらに具備してもよい。
視野角の設定に対応して音量を調節することができる。例えば、視野角が広い場合に音量を大きく、視野角が狭い場合に音量を小さく設定する。
【０００９】
Ｃ．本発明に係る電子機器は、視野角を制御できる第１、第２の表示装置が接続される電子機器であって、前記第１の表示装置の視野角を設定するための設定情報を入力する設定情報入力部と、前記設定情報記憶部に記憶された設定情報に基づき、前記第１の表示装置の視野角を制御する第１の表示制御部と、前記設定情報記憶部に記憶された設定情報に基づき、前記第２の表示装置の表示状態を制御する第２の表示制御部と、を具備することを特徴とする。
第１の表示装置の視野角の設定に対応して、第２の表示装置を制御することができ、第１、第２の表示装置の制御を関連づけて行える。
【００１０】
（１）ここで、前記第２の表示制御部が、前記第２の表示装置の視野角を制御してもよい。
例えば、第１の表示装置を狭視野角に設定した場合に、第２の表示装置も狭視野角とする場合である。
【００１１】
（２）前記第２の表示制御部が、前記第２の表示装置の表示の有無を制御してもよい。
例えば、第１の表示装置を狭視野角に設定した場合に、第２の表示装置の表示を停止する場合である。
【発明の効果】
【００１２】
以上説明したように、本発明によれば視野角を制御できる表示装置での視野角の設定を容易ならしめる電子機器を提供できる。
【発明を実施するための最良の形態】
【００１３】
以下、図面を参照して、本発明の実施の形態を詳細に説明する。
（第１の実施の形態）
図１は、本発明の第１実施形態に係る電子機器１０を表すブロック図である。
電子機器１０は、例えば、ノートパソコン等のコンピュータであり、制御部１１、入力部１２，ディスクドライブ１３，記憶部１４，表示制御部１５，表示装置１６ａ，音声信号出力部１７を備え、表示装置１６ｂ、音声出力装置１８ａ、１８ｂが接続可能である。
【００１４】
制御部１１は、主として中央処理装置（ＣＰＵ：Central Processing Unit）から構成され、電子機器１０全体の制御を行う。
入力部１２は、キーボード、マウス等の入力機器である。この入力部は、種々の設定情報を入力する設定情報入力部として機能する。
設定情報には、例えば、表示装置１６ａ，１６ｂの視野角、表示の切り替え（表示装置１６ａ，１６ｂのいずれで表示を行うか）、音声信号出力部１７から出力される音声信号の信号強度（音量）、設定視野角優先モードと音声出力装置優先モードのいずれを適用するかを表すモード識別情報等が挙げられる。なお、モード識別情報の詳細は後述する。
【００１５】
ディスクドライブ１３は、例えば、ＣＤドライブ、ＤＶＤドライブであり、ＣＤ（Compact Disk）、ＤＶＤ（Digital Versatile Disc）等の記憶媒体からの情報の読み書きを行う。
記憶部１４は、例えば、ＲＡＭ（Random Access Memory）等の半導体記憶装置からなる主記憶装置、さらにはハードディスク等の補助記憶装置が該当する。この記憶部１４には、種々の設定情報が記憶されているものとする。即ち、記憶部１４は、設定情報記憶部として機能する。
【００１６】
表示制御部１５は、表示装置の表示状態を制御する制御装置であり、表示装置の表示の有無、表示内容、さらには視野角の制御をも行えるものとする。表示制御部１５には複数の表示装置（表示装置１６ａ、１６ｂ）が接続可能であり、特に、表示装置１６ｂの脱着が可能な接続端子が備えられているものとする。
【００１７】
表示装置１６ａは、例えば、液晶表示装置であり、表示制御部１５に接続された状態で、その制御を受けるものとする。表示装置１６ａは、視野角を適宜に設定できるものとする。この視野角は、多段階、連続的いずれに設定可能としてもよい。例えば、狭視野角モード、非狭視野角（通常視野角）モードが設定可能であり、狭視野角モードでは比較的狭い視野角内でのみ表示内容を視認でき、特定個人のみ表示内容を確認できる。また、非狭視野角モードでは、比較的広い視野角で表示内容を視認でき、複数の人が表示内容を確認できる。また、視野角を狭視野角、中視野角、広視野角の３段階に設定可能としても差し支えない。
表示装置１６ａの視野角は、入力部１２からの設定情報の入力により設定が適宜に可能なものとする。設定された視野角は設定情報の一種として記憶部１４に記憶される。
【００１８】
表示装置１６ｂは、電子機器１０への接続、接続解除が可能な表示装置であり、例えば、液晶表示装置、ＣＲＴ（陰極線管）、ＰＤＰ（プラズマ・ディスプレイ・パネル）、プロジェクタ等種々の表示装置を適用できる。一つの使い方として、大画面表示により複数の人に表示内容を提示することが可能である。また、表示装置１６ｂに視野角を適宜に設定できる表示装置を用いることも可能であり、この場合には表示制御部１５により視野角が制御されるものとする。
【００１９】
音声信号出力部１７は、音声出力装置１８ａ，１８ｂに音声信号を出力し、音声を出力させる。また、音声信号出力部１７は音声出力装置１８ａ，１８ｂの着脱を可能とする音声信号出力端子を備えているものとする。この音声信号出力端子は、音声出力装置１８ａ，１８ｂの種別に対応して異なるものとする。即ち、接続された音声信号出力端子に基づいて音声出力装置１８ａ，１８ｂの種別を判定できる。
この音声信号出力部１７からの音声信号出力は、入力部１２からの設定情報の入力により音量の設定が適宜に可能なものとする。設定された音量は設定情報の一種として記憶部１４に記憶される。
【００２０】
音声出力装置１８ａ，１８ｂは、音声信号出力部１７からの音声出力信号を音声に変換する変換装置であり、例えば、イヤホン、スピーカ等が該当する。ここでは、音声出力装置１８ａ，１８ｂの種別が異なるものとし、前者を個人的に音声の聴取を行う、例えば、イヤホン、ヘッドホンとして、後者を複数人での聴取が可能な、例えば、ステレオスピーカとする。そして、これらの音声出力装置１８ａ，１８ｂは異なる音声信号出力端子に対応するものとする。
【００２１】
（電子機器１０の動作）
電子機器１０の動作について説明する。
図２は、電子機器１０の動作内容の一例を表すフロー図である。この図は、音声出力装置１８ａ，１８ｂと表示装置１６ａ、１６ｂの視野角との関係を表す。
（１）音声信号出力部１７に音声出力装置１８ａ，１８ｂが接続されているかが判断される（ステップＳ１１）。
もし、ステップＳ１１での判断がＮｏなら（音声出力装置１８ａ，１８ｂがいずれも接続されていない）、予め設定された視野角に基づき、表示装置１６ａ、１６ｂの視野角が制御される（ステップＳ１２）。既述のように、この設定情報は記憶部１４に記憶されているものとする。
【００２２】
（２）ステップＳ１１での判断がＹｅｓなら、視野角の設定を優先するか否かが判断される（ステップＳ１３）。
設定視野角優先モード、音声出力装置優先モードのいずれを適用するかを表すモード識別情報が記憶部１４に記憶され、このモード識別情報に基づいてこの判断を行うものとする。設定視野角優先モードは、設定視野角を優先的に適用して表示装置１６ａ、１６ｂでの表示を行う動作モードであり、音声出力装置優先モードは接続した音声出力装置１８ａ，１８ｂの種別に基づいて表示装置１６ａ、１６ｂでの表示を行う動作モードである。
【００２３】
（３）ステップＳ１３での判断がＹｅｓであれば、設定視野角に基づいて表示装置１６ａ、１６ｂの視野角が制御され、かつ音声出力装置１８ａ，１８ｂへの音声信号出力が制御される（ステップＳ１４）。この音声信号出力の制御は、例えば、音声出力装置１８ａ，１８ｂのいずれに音声出力を行うかである。一例として、設定視野角が狭いときには、音声出力装置１８ａ（イヤホン、ヘッドホン等）にのみ音声信号出力を行い、設定視野角が広いときには音声出力装置１８ａ，１８ｂの双方に音声出力を行う。
【００２４】
（４）ステップＳ１３での判断がＮｏであれば、接続した音声出力装置１８ａ，１８ｂの種別に基づいて表示装置１６ａ、１６ｂの視野角が制御される（ステップＳ１５）。
既述のように、音声出力装置１８ａ，１８ｂの種別は、音声信号出力部１７の音声信号出力端子と対応する。このため、音声出力装置１８ａ，１８ｂの種別は、音声信号出力部１７の音声信号出力端子への接続の有無によって判別できる。
例えば、音声出力装置１８ａのみが接続されていた場合には、表示装置１６ａ、１６ｂが狭視野角に制御される。音声出力装置１８ｂのみが接続されていた場合には、表示装置１６ａ、１６ｂが非狭視野角に制御される。
また、音声出力装置１８ａ、１８ｂ双方が接続されていた場合には、音声出力装置１８ａ、１８ｂへの出力の切替状況（いずれから出力させるのか）に応じて、表示装置１６ａ、１６ｂの視野角を制御することができる。
【００２５】
以上から、電子機器１０は次のようなことが行える。
（１）イアホンなど、操作者１人が確認可能な音声出力装置１８ａが接続されたときに、表示装置１６ａ、１６ｂの視野角を狭く調整して、操作者以外から表示確認しにくくして、情報の機密性を高めることができる。一方、ステレオスピーカなど、大音響の出力が可能な音声出力装置１８ｂが接続されたときに、視野角を広く調整して、複数の人で鑑賞しやすいようにすることができる。
なお、この調節は、視野角の調節を３段階以上（例えば、狭視野角、中視野角、広視野角）に可能として、音声出力装置１８ａの接続では狭視野角、音声出力装置１８ｂの接続では広視野角、いずれも接続されていない場合は、中視野角となるように設定してもよい。
【００２６】
（２）また、音声出力装置１８ａ、１８ｂの双方が接続されている場合に、音声出力装置１８ａ、１８ｂへの出力の切り替えに応じて表示装置１６ａ、１６ｂの視野角を制御できる。
（３）音声出力装置１８ａ、１８ｂの接続が解除されたときには、設定情報に対応して表示装置１６ａ、１６ｂの表示を制御することで、元の表示状態に自動復帰させることができる。
（４）また、視野角優先モードでは、設定した視野角に対応して、音声出力装置１８ａ、１８ｂへの音声出力の有無を自動的に切り替えることができる。
【００２７】
（第２実施形態）
次に本発明の第２の実施形態に係る電子機器１０ａにつき説明する。電子機器１０ａのハードウェア構成は図１と同様であるので、詳細な説明は省略する。
図３は、電子機器１０ａの動作内容の一例を表すフロー図である。この図は、音声出力装置１８ａ，１８ｂの音量と表示装置１６ａ、１６ｂの視野角との関係を表す。
【００２８】
（１）視野角の設定を優先するか否かが判断される（ステップＳ２１）。
設定視野角優先モード、音声信号優先モードのいずれを適用するかを表すモード識別情報が記憶部１４に記憶され、このモード識別情報に基づいてこの判断を行うものとする。設定視野角優先モードは、設定視野角を優先的に適用して表示装置１６ａ、１６ｂでの表示を行う動作モードであり、音声信号優先モードは音声信号出力部１７から出力される音声信号に基づいて表示装置１６ａ、１６ｂでの表示を行う動作モードである。
【００２９】
（２）ステップＳ２１での判断がＹｅｓであれば、設定視野角に基づいて表示装置１６ａ、１６ｂの視野角が制御され、かつ音声出力装置１８ａ，１８ｂへの音声信号出力が制御される（ステップＳ２２）。この音声信号出力の制御は、例えば、音声出力装置１８ａ，１８ｂに出力される音声出力の音量である。一例として、設定視野角が狭いときには、音声出力装置１８ａ、１８ｂに出力される音声信号出力の音量を大きく、設定視野角が広いときには音声出力装置１８ａ，１８ｂに出力される音声信号出力の音量を小さくする。
【００３０】
（３）ステップＳ２１での判断がＮｏであれば、音声信号出力部１７から出力される音声信号に基づいて表示装置１６ａ、１６ｂの視野角が制御される（ステップＳ２３）。
この音量は、設定情報の一種として、記憶部１４に記憶されているものとする。
例えば、音量が小さい場合には、表示装置１６ａ、１６ｂが狭視野角に制御される。音量が大きい場合には、表示装置１６ａ、１６ｂが非狭視野角に制御される。
【００３１】
以上から、電子機器１０ａは次のようなことが行える。
（１）音声出力装置１８ａ，１８ｂからの音量に対応して、表示装置１６ａ、１６ｂの視野角を調節できる。音量が小さい場合には再生されている情報の機密性が高い場合が多いことから、視野角を狭くして機密性を高めることができる。また、音量が大きい場合には再生されている情報は公開可能な場合が多いことから、視野角を広くして複数の人が鑑賞可能とすることができる。また、音量がゼロの場合（ミュート操作されたような場合）には、表示内容の機密性が高く、他者に一時的に見えなくさせたい場合があるため、視野角を狭くしたり表示を停止したりすることで、機密性を高めることができる。
【００３２】
（２）また、設定視野角優先モードでは、表示装置１６ａ、１６ｂの視野角を設定することで、音声出力装置１８ａ，１８ｂからの音量を制御できる。狭視野角で表示される情報は機密性が高い場合が多いことから、音量を小さくすることで機密性を高めることができる。
【００３３】
（第３実施形態）
次に本発明の第３の実施形態に係る電子機器１０ｂにつき説明する。電子機器１０ｂのハードウェア構成は図１と同様であるので、詳細な説明は省略する。
図４は、電子機器１０ｂの動作内容の一例を表すフロー図である。この図は、表示装置１６ａ、１６ｂの表示状態の切り替えと視野角の関係を表す。
【００３４】
（１）表示装置１６ａ、１６ｂの表示状態の切り替えを指示する切替指示情報が入力される（ステップＳ３１）。
ここでいう、表示状態の切り替えには、表示装置１６ａ、１６ｂの視野角の設定、および表示装置１６ａ、１６ｂのいずれに表示を行うかの表示の有無の設定が挙げられる。
【００３５】
（２）表示状態のロックが行われているか否かが判断される（ステップＳ３２）。
表示状態のロックの有無は、表示状態ロックモード、表示状態切替可能モードのいずれが適用されるかを表す表示モード情報（設定情報の一種）として、記憶部１４に記憶されているものとする。この結果、表示状態のロックの有無は表示モード情報から判定できる。
この判断がＹｅｓの場合には切替指示が拒否され、設定情報の書き換えは行われない（ステップＳ３３）。この判断がＮｏの場合には切替指示情報の入力に従い、設定情報が書き換えられる。
なお、表示状態のロックの解除は、例えば、ステップＳ３１でパスワードを入力することで、行える。この入力により、表示モード情報が表示状態切替可能モードに切り替わる。
【００３６】
（３）表示装置１６ａ、１６ｂで表示されている情報の機密性が高いか否かが判断される（ステップＳ３４）。情報の機密度に応じて、表示装置１６ａ、１６ｂの表示状態を制御するためである。
例えば、ディスクドライブ１３で記録媒体に記録された情報を読み込み、表示装置１６ａ、１６ｂで表示する場合には記録媒体に情報の機密度を表す情報を書き込んでおくことで情報の機密性を判断できる。また、情報自体に機密度を表す情報を埋め込んでおくことも可能である。
【００３７】
（４）ステップＳ３４での判断がＹｅｓの場合には、表示情報の機密性が高いことから、機密を優先した表示内容となる（ステップＳ３５）。即ち、ステップＳ３１で視野角を広く設定しようとした場合でも視野角は狭いままに固定される。また、表示装置１６ａから表示装置１６ｂに表示を切り替えようとした場合に、表示装置の切替が拒否される。
【００３８】
（５）ステップＳ３４での判断がＮｏの場合には、表示情報の機密性が低いことから、ステップＳ３１での切替指示を優先した表示内容となる（ステップＳ３６）。即ち、ステップＳ３１での視野角の設定に対応して視野角が変更される。また、ステップＳ３１での表示装置１６ａ、１６ｂの表示の切り替え設定に対応して表示装置の切替が実施される。
このとき、視野角を狭く設定したときに表示装置１６ａの視野角を狭くして、表示装置１６ｂには表示させないようにすることができる。また、視野角を広く設定したときに表示装置１６ａの視野角を広くして、表示装置１６ｂにも表示させることができる。表示装置１６ｂの視野角の変更、あるいは表示装置１６ｂの表示の有無の変更のいずれを選択するかは、設定情報として記憶部１４に記憶させておけばよい。
【００３９】
以上から、電子機器１０ｂは次のようなことが行える。
（１）表示状態がロックされているときには、表示装置１６ａ、１６ｂの表示の切り替え（視野角の変更、表示装置の切替）が拒否される。
視野角を狭めている状態で表示される情報は一般に、機密性の高い情報である。このときに表示状態をロックすることで、情報の機密性を高めることができる。
また、表示装置１６ａ、１６ｂ双方で情報が表示されているときに表示状態をロックすることで、表示装置１６ａ、１６ｂの視野角を広いまま固定し、誤って視野角を狭くして表示装置１６ａ、１６ｂ双方での確認がしづらくなることを防止できる。
【００４０】
（２）表示状態がロックされていないときに、表示切替を行い、視野角を広くしたり、表示装置の切替を行える。機密の高い情報の表示が終了した後は、表示を切り替えて表示確認を容易とすることができる。
【００４１】
（３）表示装置１６ａの視野角を狭くしたときに、表示装置１６ｂの表示を消すことができる。視野角を狭めている状態で表示される情報は一般に、機密性の高い情報である。この状態に設定された場合は、他の表示を消すことにより表示される情報の機密性を高めることができる。
また、表示装置１６ａの視野角を広くしたときに、表示装置１６ｂにも表示させることができる。
【００４２】
（４）表示されている情報の機密度に応じて、機密性を優先するか、表示の設定を優先するかいずれかを選択できる。
【図面の簡単な説明】
【００４３】
【図１】本発明の実施形態に係る電気機器の内部構成を表すブロック図である。
【図２】第１の実施形態に係る電気機器の動作例を表すフロー図である。
【図３】第２の実施形態に係る電気機器の動作例を表すフロー図である。
【図４】第３の実施形態に係る電気機器の動作例を表すフロー図である。
【符号の説明】
【００４４】
１０…電子機器、１１…制御部、１２…入力部、１３…ディスクドライブ、１４…記憶部、１５…表示制御部、１６ａ，１６ｂ…表示装置、１７…音声信号出力部、１８ａ，１８ｂ…音声出力装置
【図１】
2005181588.tif 000003
【図２】
2005181588.tif 000004
【図３】
2005181588.tif 000005
【図４】
2005181588.tif 000006